(57)【要約】【課題】湿式レザー及び電気トリマーアセンブリを提供する。【解決手段】レザー及びトリマー一体型アセンブリは、細長いハンドル、レザー刃、トリマー及びモータを備える。レザー刃は、ハンドルの第１端部又はその近傍に配置されている。トリマーは、ハンドルに取り付けられ、可動刃を有する。モータが可動刃を駆動する。【選択図】図１Ａ
2010115541.tif 000002
【特許請求の範囲】
【請求項１】
グルーミング器具であって、
前方方向に延びる、所定の長さの細長いハンドルと、
前記前方方向に対向するレザー刃カートリッジであって、該カートリッジ内に取付けられ、肌に直接接触するように配置される１つ以上の細長いレザー刃を有する、カートリッジを備え、
該カートリッジが、前記ハンドルの第１端部又はその近傍に取り付けられた、レザーマウントに取り付けられており、前記レザー刃カートリッジと前記ハンドルとが湿式レザー刃として使用されるようになっており、さらに、
前記ハンドルに取り付けられたトリマーであって、前記レザー刃の長さとほぼ平行な長さを有する前記前方方向に対向する、少なくとも１枚の可動刃を有するトリマーと、
前記少なくとも１枚の可動刃を駆動するために該少なくとも１枚の可動刃に動作的に連結された出力軸を有し、前記ハンドルと前記レザー刃カートリッジにおける振動動作を付与するモータと、
前記モータによって回転され、前記出力軸に平行な軸の周りに回転して、前記ハンドル上において増大した振動動作と前記細長いレザー刃における増大した振動動作とを付与する偏心おもりと、
前記モータの出力軸を前記トリマーに連続的に結合する動力伝達機構アセンブリであって、前記モータの出力軸と前記偏心おもりの回転動作を前記１つ以上の細長いレザー刃の長さに平行な方向の前記少なくとも１つの可動刃の横方向往復移動に変換する動力伝達機構アセンブリと、
を備える、ことを特徴とするグルーミング器具。
【請求項２】
前記偏心おもりが前記ハンドルにおける増大した振動動作と前記細長いレザー刃における増大した振動動作を付与するために前記モータの出力軸上に設けられていることを特徴とする請求項１に記載のグルーミング器具。
【請求項３】
細長いハンドルと、
レザー刃カートリッジであって、該カートリッジ内に取付けられ、肌に直接接触するように配置される１つ以上の細長いレザー刃を有する、カートリッジを備え、
該カートリッジが、前記ハンドルの第１端部又はその近傍に取り付けられ、前記レザー刃カートリッジと前記ハンドルとが湿式レザー刃として使用されるようになっており、
さらに、
前記ハンドルに取付けられたトリマーであって、少なくとも１つの可動刃を有するトリマーと、
前記少なくとも１つの可動刃に作動的に連結されたモータと、
前記モータと前記可動刃に連結された動力伝達機構であって、
前記モータからの回転運動を前記可動刃の往復移動に変換する動力伝達機構とを備え、前記動力伝達機構がロッドを有しており、前記可動刃が該ロッドに沿って移動できるように前記可動刃が前記動力伝達機構に取付けられている、ことを特徴とするグルーミング器具。
【発明の詳細な説明】
【背景技術】
【０００１】
本出願は、２００４年３月３０日に出願された「Razor and Electric Trimmer Assembly(レザー及び電気トリマーアセンブリ）」と題する米国特許仮出願第６０／５５７，７４５号の利益を主張し、その米国特許仮出願は、参照によって援用される。
【０００２】
男性の顔や女性の脚を剃毛するために、湿式レザーは通常、シェービングクリーム及び水とともに使用される。これらの湿式レザーは通常、レザー刃及び／又はレザー刃カートリッジを一端部に取り付けた細長いハンドルを有する。ユーザは、皮膚を横切るようにレザー刃を引いて動かして、存在する毛を切り取る。
【０００３】
もみあげ、口ひげ、あごひげとともに女性のビキニ部分などのより長い毛のトリミング用に、電気トリマーも既知である。電気トリマーは通常、固定刃及び可動刃を有する。電気トリマーは通常、電動式であり、また湿式レザーは通常、水中に沈められるので、湿式レザー及びヘアトリマーアセンブリの両方を用いるアセンブリはまだ知られていない。
【発明の概要】
【課題を解決するための手段】
【０００４】
レザー及びトリマー一体型アセンブリは、細長いハンドルと、レザー刃と、トリマーと、モータとを備える。レザー刃は、ハンドルの第１端部に、又はその近傍に配置されている。トリマーは、ハンドルに取り付けられ、可動刃を有する。モータは、ハンドルの内部に配置され、可動刃に動作連結される。
【０００５】
グルーミング器具は、ハウジングと、レザーマウントと、トリマー機構と、モータと、リンク機構と、電源室と、電源コネクタとを備える。ハウジングは、細長いハンドル部分及びヘッド端部分を有する。レザーマウントは、ハウジングのヘッド端部分に配置されて、関連のレザー刃又は関連のレザー刃カートリッジを選択的に固定する。トリマー機構は、ハウジングと結合されている。モータは、ハウジング内に取り付けられている。リンク機構が、モータの出力軸をトリマー機構に連結している。電源室が、ハウジング内に配置されて、関連の電源を収容するようになっている。電源コネクタが、電源室内に取り付けられて、電源室内に設置された関連の電源とモータとの間の送電路の少なくとも一部分を提供している。
【０００６】
振動ハンドルを有する湿式レザー及びトリマー一体型アセンブリを製造する方法は、ハンドルの第１端部に、又はその近傍に取り付けられた湿式レザー、及びハンドル上に配置されたトリマーを含む湿式レザー及びトリマー一体型アセンブリを設けるステップと、ハンドルの内部に駆動部を設け、それにより、ハンドルの第１端部に振動運動を与える、設けるステップとを含む。
【０００７】
パッケージ及びパッケージ内に配置された電気グルーミング器具の組み合わせは、グルーミング器具を少なくとも部分的に包囲するカバーを有する。グルーミング器具は、ハンドルと、ハンドルの一端部に、又はその近傍に配置されたレザーマウントと、ハンドル上に配置されたトリマーと、トリマー用の駆動機構と、駆動機構用の電源と、電源から駆動機構に選択的に電力を供給するためのスイッチと、スイッチを作動させるためにハンドル上に配置されたスイッチボタンとを備える。カバーは、外力をスイッチボタンに加えることができるようになっており、それにより、スイッチボタンを瞬時オン位置に移動させることができる。
【図面の簡単な説明】
【０００８】
【図１Ａ】レザー及びトリマー一体型アセンブリの第１実施形態の背面図である。
【図１Ｂ】レザー及びトリマー一体型アセンブリの第１実施形態の側面図である。
【図１Ｃ】レザー及びトリマー一体型アセンブリの第１実施形態の側面図である。
【図１Ｄ】レザー及びトリマー一体型アセンブリの第１実施形態の前面図である。
【図２Ａ】レザー及びトリマー一体型アセンブリの別の実施形態の背面図である。
【図２Ｂ】レザー及びトリマー一体型アセンブリの別の実施形態の側面図である。
【図２Ｃ】レザー及びトリマー一体型アセンブリの別の実施形態の前面図である。
【図３Ａ】レザー及びトリマー一体型アセンブリ用の駆動列アセンブリの概略的な上面図である。
【図３Ｂ】レザー及びトリマー一体型アセンブリ用の駆動列アセンブリの概略的な側面図である。
【図４】レザー及びトリマー一体型アセンブリ用の切り換え機構の側部断面図である。
【図５Ａ】レザー及びトリマー一体型アセンブリの別の実施形態の前方斜視図である。
【図５Ｂ】レザー及びトリマー一体型アセンブリの別の実施形態の後方斜視図である。
【図５Ｃ】レザー及びトリマー一体型アセンブリの別の実施形態の後方斜視図である。
【図６Ａ】レザー及びトリマー一体型アセンブリの別の実施形態の前方斜視図である。
【図６Ｂ】レザー及びトリマー一体型アセンブリの別の実施形態の前方斜視図である。
【図６Ｃ】レザー及びトリマー一体型アセンブリの別の実施形態の後方斜視図である。
【図７Ａ】レザー及びトリマー一体型アセンブリの別の実施形態の前方斜視図である。
【図７Ｂ】レザー及びトリマー一体型アセンブリの別の実施形態の後方斜視図である。
【図８Ａ】レザー及びトリマー一体型アセンブリの別の実施形態の前方斜視図である。
【図８Ｂ】レザー及びトリマー一体型アセンブリの別の実施形態の後方斜視図である。
【図９Ａ】レザー及びトリマー一体型アセンブリの別の実施形態の前方斜視図である。
【図９Ｂ】レザー及びトリマー一体型アセンブリの別の実施形態の後方斜視図である。
【図１０Ａ】レザー及びトリマー一体型アセンブリの別の実施形態の前方斜視図である。
【図１０Ｂ】レザー及びトリマー一体型アセンブリの別の実施形態の後方斜視図である。
【図１０Ｃ】レザー及びトリマー一体型アセンブリの別の実施形態の後方斜視図である。
【図１１Ａ】レザー及びトリマー一体型アセンブリの別の実施形態の前方斜視図である。
【図１１Ｂ】レザー及びトリマー一体型アセンブリの別の実施形態の後方斜視図である。
【図１１Ｃ】レザー及びトリマー一体型アセンブリの別の実施形態の後方斜視図である。
【図１２】レザー及びトリマー一体型アセンブリの一実施形態のハンドル内に配置された駆動列アセンブリの代替の一実施形態を示す図である。
【図１３】図１０の駆動列アセンブリの一部分の拡大図である。
【図１４】レザー及びトリマー一体型アセンブリの一実施形態のトリマーの拡大図である。
【図１５】パッケージ内に配置されているレザー及びトリマー一体型アセンブリの一実施形態の側面図である。
【発明を実施するための形態】
【０００９】
レザー及びトリマー一体型アセンブリとも呼ぶことができるグルーミング器具１０は、第１端部すなわちヘッド端部１４と、第２端部すなわち尾端部１６と、を有する薄く細長いハンドル１２を備えている。複数枚のレザー刃２２を内部にはめ込むことができるレザー刃カートリッジ１８が、ハンドル１２の第１端部１４に、又はその近傍に取り付けられている。レザー刃カートリッジ１８は一般的に、単純にわかり易くするために、以下で前方と呼ぶ方向に面している。したがって、レザー刃カートリッジ１８は、一般的に、ハンドル１２の前側と同じ方向に面している。トリマー２４も、ハンドル１２の第１端部１４に、又はその近傍に配置されている。トリマー２４は、ハンドル１２の後側から延出する。グルーミング器具１０で毛を剃る人は、従来型の湿式ひげ剃り用にレザー刃２２を使用することができ、乾式トリミング用にトリマー２４も使用することができる。
【００１０】
薄いハンドル１２は、レザー刃カートリッジ１８が従来型の湿式レザーと同様に面する方向に向かって湾曲している。ハンドル１２は、トリマー２４を駆動する内部構成部品用のハウジングになっている。図１Ａ〜図１Ｄに示されている実施形態では、ハンドル１２は３つの個別部材片から形成されている。第１部材片２６は、ハンドルの前側に対応し、第２部材片２８は、ハンドルの後側に対応し、第３部材片３２は、第１部材片及び第２部材片に取り付けられ、それにより、ハンドルの尾端部を形成する。本実施形態では、前側部材片２６は後側部材片２８に永久的に固着されており、尾端部材片３２は、差し込み式取り付け具又は他の従来型の取り付け具を介して前側部材片及び後側部材片に選択的に取り付けられる。
【００１１】
上述したように、レザー刃カートリッジ１８は、ハンドル１２の第１端部１４に、又はその近傍に取り付けられる。図示の実施形態では、カートリッジ１８をハンドル１２に取り付けるために、カートリッジマウント３４がハンドル１２の第１端部１４に設けられている。レザー刃カートリッジ１８は、カートリッジマウント３４に対して選択的に着脱される。任意の既知の毛剃りカートリッジマウントを使用することができる。本実施形態では、解除ボタン３６がレザーマウント３４と協働し、それにより、解除ボタンを内向きに、すなわちハンドル１２の方へ押圧したとき、マウントがレザーカートリッジを切り離し、それにより、カートリッジを取り外すことができる。従来型の湿式レザーと同様に、カートリッジ１８は、ハンドル１２にほぼ垂直であるカートリッジの長手方向に平行な軸線を中心にして回動することができる。
【００１２】
レザーカートリッジ１８に加えて、トリマー２４もハンドル１２の第１端部１４に、又はその近傍に配置されている。トリマー２４は、第１刃すなわち固定刃４０と、第２刃すなわち可動刃４２とを有する点で、従来型のトリマーに似ている。代替として、トリマー２４は、２枚の可動刃又は複数枚の可動刃を有することができる。図１Ａ〜図１Ｄに示されている実施形態では、トリマー２４は、ヘッド端部付近でハンドル１２の後側に沿ってそれに平行なリセス４４内で、使用位置及び収容位置間を矢印Ａ（図１Ｃ）にほぼ整合した方向に摺動する。リセス４４は、トリマー２４に対して相補的な形状である。トリマー２４は、その可動刃４２の移動方向がレザー刃２２の長手にほぼ平行になるように、ハウジング１２に取り付けられている。したがって、グルーミング器具１０のユーザは、トリマー２４を使用するために、通常のレザーの握り方を変化させる必要がない。図１Ｃに示されているように、使用位置では、トリマー２４はカートリッジ１８の上方へ垂直方向に延出することができ、これにより、グルーミング器具１０のユーザはトリマーを使用することができ、トリミングしている部分を鏡で見ることがカートリッジによって妨げられない。
【００１３】
トリマー２４は、トリマーを移動させるためにユーザが指又は親指を置くことができる指パッド４６を備えている。図２Ａ〜図２Ｃに示されている実施形態からわかるように、ガード４８を刃４０及び４２から間隔をおいてトリマー２４に取り付けることができる。ガード４８も矢印Ａに平行な方向に移動することができ、それにより、毛を異なった高さにトリミングすることが可能である。
【００１４】
図３Ａを参照すると、モータ５０が、ハンドル１２内に収納されている、以下により詳細に説明する動力伝達機構を介して、トリマー２４の可動刃４２を駆動する。図１Ａ及び図１Ｂに戻ると、スイッチボタン５２がスイッチ５４（図３Ａ）を作動させ、それにより、回路を選択的に開閉させて、電源５６からモータ５０に電力を供給することができる。スイッチボタン５２は、ハンドル１２上でトリマー２４の下側に配置されている。別法として、スイッチボタン５２を他のいずれの位置に配置することもできる。
【００１５】
ハンドル１２は、また、モータ４４に電力を供給するためにＡＡＡバッテリ５６を収容するようになっている電源室５８も画定している。別法では、電源室５２は、異なった寸法のバッテリ及び／又は電源を収容することができるように、異なった寸法であることができる。尾端部材片３２をハンドル１２の前側部材片２６及び後側部材片２８から取り外すことにより、電源５６に手が届くことができる。
【００１６】
ユーザがスイッチボタン５２を内向きに押圧して押し込み位置に保持することができ、それにより、モータは瞬時オン位置にある。スイッチボタン５２を内向きに押圧し、且つ第１方向に摺動させて、第１方向と逆の第２方向にスイッチボタンを摺動させるまで、モータ５０が励起される連続オン位置に入れることもできる。スイッチ機構の１つの非制限的な例が図４に示されており、この場合、スイッチボタン５２が、図３Ａに示されている概略的なスイッチ５４として作用する金属接点と接触する。スイッチボタンは、ハンドル１２内に形成された開口６０内を移動可能である。スイッチボタン５２をハンドル１２のヘッド端部１４の方に移動させると、スイッチボタン５２内に形成された低位置傾斜突起５２ａが、金属接点５４に形成された傾斜部分５４ａに乗り上げて、電源５６とモータ５０との間の回路を閉じる。金属接点５４は、スイッチボタンの下部前方部分５２ｂをハンドル１２の方に付勢し、それにより、スイッチボタン５２は連続オン位置に維持される。スイッチボタン５２をモータ５０の方に押しつけることにより、ボタンが押圧されている間、回路が一時的に閉じる。金属接点５４はスイッチボタン５２を離脱方向に付勢し、それにより、スイッチボタン５２に力がまったく加えられず、且つスイッチボタンがハンドル１２によって捕らえられないとき、回路が開く。代替の一実施形態では、スイッチボタンを連続オン位置へ移動させることができるように、ハンドル１２にスイッチボタン５２用の一時的留め具を設けることができる。
【００１７】
モータを可動刃４２に連結するために、モータ５０の回転移動を往復横方向移動に変換する任意の動力伝達機構又はリンク機構を使用することができる。図３Ａ及び図３Ｂに概略的に示されている駆動列が、ハンドル内に収納されている。本実施形態では、出力軸６２がモータ５０から延出している。ピニオン６４が出力軸６２に取り付けられて、ピニオンの下方に配置されたクラウン歯車６６とかみ合っている。偏心おもりを含むことができるおもり６８も、出力軸６２に取り付けることができる。
【００１８】
支柱７２が、クラウン歯車６６から垂直に延出している。一端部に楕円形フープ７６を有するフォロアロッド７４が、フープが支柱を受け取ることによって支柱７２に連結している。フォロアロッド７４は、ロッドの回動中心になることができるピボットピン７８によってハンドル１２（図３Ａには示されていない）に、又は何らかの他の構造体に固定されている。可動刃４２は、フォロアロッド７４に取り付けられて、それに沿って摺動する。
【００１９】
スイッチボタン５２を瞬時オン位置に押圧する、又は連続オン位置に摺動させ、それにより、スイッチ５４を閉じると、電力が電源５６からモータ５０に送られる。モータ５０はピニオン６４を回転させ、ピニオンはクラウン歯車６６を駆動する。クラウン歯車６６は、支柱７２がフォロアロッド７４のフープ端部７６にはまった状態で回転する。フォロアロッド７４の楕円形フープ７６は、フォロアロッドの長手軸線に垂直であって支柱７２の直径にほぼ等しい短軸と、フォロアロッドの長手軸線に平行であって支柱の直径より相当に大きい長軸とを有するので、フォロアロッドの軸線に対して垂直方向の力、すなわち側方力がフォロアロッドに伝達され、フォロアロッドの軸線に対して平行な力はフォロアロッドに伝達されない。したがって、フォロアロッド７４はピボットピン７８を中心にして回動し、その結果、可動刃４２の横方向往復移動が生じる。
【００２０】
上述したように、可動刃４２は、フォロアロッドの遠位端部８２とピボットピン７８との間をフォロアロッド７４に沿って摺動する。可動刃４２は、収容位置にあるときにピン７８の近傍にあり、使用位置にあるときに遠位端部８２の近傍にある。フォロアロッド７４に取り付けるために、可動刃４２は、刃から垂下してロッドを受け取るブラケット８４（図３Ｂ）を備える。ハンドル１２内に開口又はスロット８６が設けられ、これをブラケット８４が貫通し、それにより、ハンドル１２の内部に配置されているフォロアロッド７４が、ハンドルの外側に取り付けられている可動刃４２に取り付けられる。
【００２１】
可動刃４２がピボットピン７８からさらに遠くに離れて、たとえば収容位置から使用位置へ移動するとき、フォロアロッド７４の遠位端部８２の角変位が大きくなり、したがって、可動刃４２の横方向移動も大きくなる。可動トリマー刃４２の横方向往復移動は、レザーカートリッジ１８の振動を結果的にもたらすハンドル１２の第１端部１４の望ましい振動を生じることができる。加えて、モータ５０の出力軸６２上の偏心おもり６８も、レザーハンドル１４の望ましい振動を生じることができる。
【００２２】
使用中にレザー刃２２は、定期的に水洗いされるので、アセンブリの内部構成部品を保護するためにガスケットが設けられている。第１ガスケット８８がフォロアロッド７４を受け取り、それにより、第１ガスケットより下方の駆動列アセンブリの構成部品を保護する。図３Ａに示されているように、第１ガスケット８８はピボットピン７８に隣接して位置して、ハンドル（図示せず）の内壁と協働する。代替の一実施形態では、ピボットピン７８を第１ガスケットで代用することができ、その場合、ガスケットは可撓性材料から形成される。バッテリを保護するために、ハンドル１２の第３部材片３２と第１部材片２６及び第２部材片２８との連結部に第２ガスケット４２が設けられている。
【００２３】
図１Ａ〜図１Ｄに開示された外部構造に加えて、多くの異なった構造のグルーミング器具が考えられる。幾つかの非制限的な設計例が、添付図面に示されている。たとえば、図５Ａ、図５Ｂ及び図５Ｃにおいて、トリマーは、トリマーがハンドルから延出する使用位置と、トリマーがハンドルに寄りかかる収容位置との間を回動する。この構造では、レザー刃及びハンドルが、ハンドルの対向側部に面している。図６Ａ、図６Ｂ及び図６Ｃは、回動式トリマーが、レザー刃カートリッジの下方でそれと同じハンドル側に配置されているグルーミング器具を示している。図７Ａ及び図７Ｂは、トリマーが、ハンドルの、レザー刃カートリッジ側と反対側に配置されているグルーミング器具を開示している。図７Ａ及び図７Ｂの実施形態は、可動式トリマーに対照的な固定式トリマーを開示している。図８Ａ及び図８Ｂは、ハンドルの横側に配置された固定式トリマーを開示しており、それにより、トリマーはレザー刃カートリッジの長手にほぼ垂直に並んでいる。図９Ａ及び図９Ｂは、ハンドルの、レザー刃カートリッジが面する側と反対側に、レザー刃カートリッジの長手にほぼ垂直に配置されたトリマーを開示している。図１０Ａ、図１０Ｂ及び図１０Ｃは、ハンドルの、レザー刃カートリッジが面する側と反対側に、レザー刃カートリッジの長手にほぼ垂直に配置された回動式トリマーを開示している。図１１Ａ、図１１Ｂ及び図１１Ｃは、選択的にハンドルの内部に配置され、且つハンドルの横側から延出するトリマーを開示している。
【００２４】
トリマーの可動刃用の駆動列の１つの代替構造も開示されている。この構造は、トリマーがハンドルに対して回動するグルーミング器具に有用であり得るが、上述したように、可動刃の横方向移動を与え、且つハンドルの内部にはめ込まれるか、それに取り付けられることができる任意の駆動列を使用し、それにより、可動刃を駆動することができる。図１２を参照すると、モータ９４がカム９６を駆動し、このカムは、モータ９４の出力軸（見えない）の軸線から偏心してそれにほぼ平行である小突起９８を有する。突起９８は、トリマー２４の可動刃４２に係合するアーム１０２に係合している。
【００２５】
図１３を参照すると、アーム１０２は、突起９８を受け取る細長い垂直スロット１０４を一端部に有する。アーム１０２はまた、垂直スロット１０４と反対側のアーム端部にフォーク端部１０６を有し、これは、トリマー２４の可動刃４２に取り付けられた支柱１１２（図１２）を受け取る入口１０８を画定している。アーム１０２は、アーム１０２の回動中心であるピン１１４を介してハンドル１２に取り付けられている。
【００２６】
使用の際、モータ９４はカム９６に係合してそれを回転させ、その結果、偏心突起９８が出力軸の軸線を中心にして回転する。アーム１０２のスロット１０４は垂直方向に開いているので、突起９８の垂直力はアーム１０２に伝達されず、それにより、アームは側方すなわち水平方向にだけ移動する。アーム１０２の側方移動の結果、入口１０８に支柱１１２を受け取っているフォーク端部１０６が側方移動する。したがって、支柱１１２は側方移動し、第２すなわち可動刃４２を側方に移動させる。図１０に示されているように、バッテリ１１６が電力をモータ９４に供給することができる。また、スイッチ１１８が、モータ９４及びバッテリ１１６間の回路を選択的に開閉することができる。
【００２７】
図１２及び図１３に示された駆動列を使用する実施形態は、駆動列を内部に収納しているハンドルの望ましい振動も生じることができる。可動トリマ刃の横方向往復移動が望ましい振動を与えることができるだけでなく、モータの出力軸を中心にして回転する偏心突起及び回動アームの移動によっても、ハンドルの望ましい振動を生じることができる。
【００２８】
図５Ａ、図５Ｂ、図５Ｃ、図６Ａ、図６Ｂ、図６Ｃ、図１０Ａ、図１０Ｂ及び図１０Ｃからわかるように、摺動に加えて、トリマー２４はハンドル１２に連結されて、ピン（複数可）（図示せず）を中心にして使用位置及び収容位置間を回動する。これらの実施形態では、トリマー２４は、第１刃４０及び第２刃４２を保護するシース１２０を有する。シース１２０は遠位端部に、刃４０、４２の両側から間隔をおいて１対のフィンガ１２２を有する。トリマー２４は、１対のばね１２４によってハンドル１２から離れる方向に付勢されている。フィンガ１２２は、解除ボタン１２８上に位置する突起１２６に係合する。解除ボタン１２８は、リセス１３０内で回動及び／又は摺動を行い、このリセス１３０はまた、収容位置にあるときのトリマー２４を収容し、それにより、トリマー２４を収容位置に置くことが望ましいとき、突起１２６がシース１２０のフィンガ１２２に選択的に係合する。解除ボタン１２８は、突起１２６をシース１２０のフィンガ１２２に係合する位置に置くように付勢されている。突起１２４がフィンガ１２２から離れるように移動する結果、ばね１２４がトリマー２４をハンドルから離れる方向に付勢して、使用位置に入れる。
【００２９】
上記したようなグルーミング器具は通常、図１３に示されているようなパッケージ１３０に入れて販売される。パッケージは、ブリスタ式パッケージ又は別の従来型のパッケージであることができる。上記したように、グルーミング器具１０用のスイッチボタン５２は、スイッチボタンをハンドル１２の方へ押圧した場合の瞬時オン位置と、スイッチボタンをハンドル１２の上端部１４の方へ上向きに摺動させた場合の連続オン位置とを有する。パッケージ１０は、客がスイッチボタン５２を瞬時オン位置に押し込むことができるが、客がスイッチボタンを連続オン位置に進めることを防止するようにしている。パッケージ１３０は、透明ブリスタであることができるカバー１３２を有する。カバーは、板紙から構成することができる支持体１３４に取り付けられている。図１５に示されている実施形態では、パッケージ１３０は、スイッチボタン５２の近傍でカバー１３０に形成された開口１３６を有する。開口１３６は、客がスイッチボタン５２を瞬時オン位置に押し込むことができるようにする。パッケージ１３０はリブ１３８も有し、これにより、客がスイッチボタン５２を連続オン位置に摺動させることを防止することができる。ボタン５２の連続オン位置への移動を防止するための代替構造を設けることもできる。一例として、特に開口１３６とスイッチボタン５２との間に精密な許容差が存在する場合、開口１３６の縁部がスイッチボタン５２の摺動を防止する。
【００３０】
代替の一実施形態では、客がスイッチボタンを瞬時オン位置に進めることができるようにするが、スイッチボタンを連続オン位置に進めることを防止する、開口を有していないパッケージを設けることができる。たとえば、カバーがスイッチボタン５２の近傍に可撓性部分を有し、それにより、カバーを介してボタン５２を押圧できるが、消費者がスイッチボタン５２を連続オン位置に摺動させることを妨げることができる。そのような実施形態では、制限的ではないが、上記のリブなどの構造体が、スイッチボタンの連続オン位置への移動を防止することができる。
【００３１】
グルーミング器具の代替の実施形態では、２つにスイッチボタンを設けることができる（図４Ａ〜図４Ｃを参照）。これらの実施形態では、グルーミング器具のスイッチを連続オン位置に入れる「オン」スイッチボタンをカバーで包囲し、それにより、消費者がカバーを介して「オン」スイッチを押圧できないようにすることができる。連続オン位置をオフにし、且つ押圧中はスイッチを瞬時オン位置に入れる「オフ」スイッチボタンを、単一スイッチボタンを有するグルーミング器具に関連して上述したように、カバーの開口又は可撓性領域を介して露出させることができる。したがって、以上に記載した実施形態では、消費者が、まだパッケージに入っているグルーミング器具を試用できるが、消費者がグルーミング器具を連続的にオンにすることは防止される。
【００３２】
電気トリマー及び湿式毛剃りの利点を組み合わせたグルーミング器具の多くの異なった実施形態を開示してきた。当然ながら、上記の詳細な説明を読んで理解すれば、修正及び代替が他の者の心に浮かぶであろう。添付の特許請求の範囲によって定義される本発明は、添付の特許請求の範囲又はその均等物の範囲に入る限り、すべての代替及び修正を包含するものとする。
【図１Ａ】
2010115541.tif 000003
【図１Ｂ】
2010115541.tif 000004
【図１Ｃ】
2010115541.tif 000005
【図１Ｄ】
2010115541.tif 000006
【図２Ａ】
2010115541.tif 000007
【図２Ｂ】
2010115541.tif 000008
【図２Ｃ】
2010115541.tif 000009
【図３Ａ】
2010115541.tif 000010
【図３Ｂ】
2010115541.tif 000011
【図４】
2010115541.tif 000012
【図５Ａ】
2010115541.tif 000013
【図５Ｂ】
2010115541.tif 000014
【図５Ｃ】
2010115541.tif 000015
【図６Ａ】
2010115541.tif 000016
【図６Ｂ】
2010115541.tif 000017
【図６Ｃ】
2010115541.tif 000018
【図７Ａ】
2010115541.tif 000019
【図７Ｂ】
2010115541.tif 000020
【図８Ａ】
2010115541.tif 000021
【図８Ｂ】
2010115541.tif 000022
【図９Ａ】
2010115541.tif 000023
【図９Ｂ】
2010115541.tif 000024
【図１０Ａ】
2010115541.tif 000025
【図１０Ｂ】
2010115541.tif 000026
【図１０Ｃ】
2010115541.tif 000027
【図１１Ａ】
2010115541.tif 000028
【図１１Ｂ】
2010115541.tif 000029
【図１１Ｃ】
2010115541.tif 000030
【図１２】
2010115541.tif 000031
【図１３】
2010115541.tif 000032
【図１４】
2010115541.tif 000033
【図１５】
2010115541.tif 000034